(57)【要約】      （修正有）【課題】人体に生じる様々な歪みを補正することができるウエアを提供する。【解決手段】ウエア１は、上半身用のウエアであって、取付部位１１が後見頃１Ｂにおける人体Ｈの肩甲骨ｋに沿った縦向きの部位であり、ファスナー２は、閉状態の前記引手２ａが肩甲骨の下角ｋａ付近に対応する位置になるように設けられている。人体の歪み要因に関連する部分に対応する部位に、一端部に引手を有した姿勢補正のためのファスナーが設けられている。【選択図】図２
2017012675.tif 000002
【特許請求の範囲】
【請求項１】
人体の歪み要因に関連する部分に対応する部位に、一端部に引手を有した姿勢補正のためのファスナーが設けられていることを特徴とするウエア。
【請求項２】
請求項１に記載のウエアにおいて、
当該ウエアが上半身用のウエアであって、前記部位が後見頃における前記人体の肩甲骨に沿った縦向きの部位であり、前記ファスナーは、閉状態の前記引手が前記肩甲骨の下角付近に対応する位置になるように設けられていることを特徴とするウエア。
【請求項３】
請求項２に記載のウエアにおいて、
前記ファスナーが、略ハの字状に一対設けられていることを特徴とするウエア。
【請求項４】
請求項１〜３のいずれか一項に記載のウエアにおいて、
当該ウエアが上半身用のウエアであって、前記部位が前見頃における着用者の第３番肋骨〜第４番肋骨付近の横向き部位であり、前記ファスナーは、閉状態の前記引手が前記人体の第３番肋骨〜第４番肋骨付近の胸骨寄りに対応する位置になるように設けられていることを特徴とするウエア。
【請求項５】
請求項１〜４のいずれか一項に記載のウエアにおいて、
当該ウエアが上半身用のウエアであって、前記部位が後見頃における前記人体の背骨に沿った部位であり、前記ファスナーは、閉状態の前記引手が背骨に沿った上方位置若しくは下方位置になるように設けられていることを特徴とするウエア。
【請求項６】
請求項１に記載のウエアにおいて、
当該ウエアが下半身用のウエアであって、前記部位が、後身頃における前記人体の骨盤の仙腸関節から下方に沿った部位であり、前記ファスナーは、閉状態の前記引手が前記仙腸関節の上端角部付近に対応する位置になるように設けられていることを特徴とするウエア。
【請求項７】
請求項６に記載のウエアにおいて、
前記ファスナーが、略逆ハの字状に一対設けられていることを特徴とするウエア。
【請求項８】
請求項１、６、７のいずれか一項に記載のウエアにおいて、
前記部位が、前身頃における前記人体の骨盤間中央の縦方向に沿った部位であり、前記ファスナーは、閉状態の前記引手が恥骨結合の近傍下方に対応する位置になるように設けられていることを特徴とする下半身用のウエア。
【請求項９】
請求項１、６〜８のいずれか一項に記載のウエアにおいて、
当該ウエアが下半身用のウエアであって、前記部位が、前身頃における前記人体の鼠蹊部に沿った部位であり、前記ファスナーは、閉状態の前記引手が前記鼠蹊部の上端部付近に対応する位置になるように設けられていることを特徴とするウエア。
【請求項１０】
請求項９に記載のウエアにおいて、
前記ファスナーが、略逆ハの字状に一対設けられていることを特徴とするウエア。
【発明の詳細な説明】
【技術分野】
【０００１】
本発明は、体の歪みを補正することができるウエアに関する。
【背景技術】
【０００２】
人体は、日常の様々な活動や行動の過程で、知らず知らずのうちに体幹や骨盤等に歪みを生じることがある。このような歪みを放置しておくと、行動や運動等に支障を来すことにもなるため、常にこの歪みを補正することが望ましい。近年、スポーツ医学の進歩によって、より効率の良い様々なトレーニング法が開発される中、体幹が姿勢の制御や体を効率よく使うために重要な役割を果たしていることがわかってきた。また、人体は筋力がバランスよく発達しないと右か左かいずれか一方へ傾いてしまうこと、さらには、内臓の重み・配置バランスから、右へ傾き易いことも言われるようになった。
【０００３】
特許文献１、２、３には、身に着けて、人体の特定の部位に起因する歪みを補正（矯正）するための姿勢矯正衣料、背筋矯正具或いは姿勢改善衣類が提案されている。
特許文献１に記載された姿勢矯正衣料は、肩甲骨の間隔を狭めて脊椎の姿勢を保つことを目的とし、大略、背面に位置する２本の平行な帯状の張力部を有し、その左右両端部が袖ぐりに沿って前面側に回り込んで連続するよう構成されている。また、特許文献２に記載された背筋矯正具は、背中が猫背（円背）のように丸まってしまう姿勢を正しく伸びた姿勢に矯正することを目的とし、大略、背筋に沿って撓むことが可能な非伸縮性の背当て板状部材と、背当て板状部材に上下位置補正可能に外嵌される非伸縮性の扁平筒状部材と、背当て板状部材の上端部及び扁平筒状部材の左右端部に連結される伸縮性の肩掛けベルトと、背当て板状部材の下端部に接続された伸縮性の胴部ベルトとから構成される。さらに、特許文献３に記載された姿勢改善衣類は、着用者の体に負担を掛けずに無理なく円背を改善することを目的とし、大略、着用時、菱形筋の下部近傍に対応する部位に編成されて内斜め下方に張力を有する領域（第１難伸縮性領域）と、僧帽筋の下部繊維に対応する部位に編成されて下方への張力を有する領域（第２難伸縮性領域）とが一体的に編成されてなる。
【先行技術文献】
【特許文献】
【０００４】
【特許文献１】特開２００６−３２０６４０号公報
【特許文献２】特許第４４７２２１５号公報
【特許文献３】特開２０１０−４２０９７号公報
【発明の概要】
【発明が解決しようとする課題】
【０００５】
ところで、前記特許文献１に記載された姿勢矯正衣料は、着用者に対して２本の緊締力の強い張力部が常時作用することによって両肩甲骨間を狭めて脊椎の姿勢を保つようにするものである。また、特許文献２に記載された背筋矯正具は、非伸縮性の背当て板状部材により、着用者が猫背（円背）姿勢になるなどの背中を丸めてしまうような悪い姿勢をとろうとすることを抑止するものである。特許文献３に記載された姿勢改善衣類は、着用時に第１及び第２難伸縮性領域が下方への張力を有することにより、肩痛、腰痛、腹式呼吸の阻害等の負担を掛けずに円背を改善するものである。これら特許文献１，２に開示された技術は、人体に対して張力や反力を作用させることによって、人体の対象部位（特許文献１では脊椎、特許文献２では背筋、特許文献３では肩甲骨）を正しい姿勢に維持しようとする点で共通する。このように、人体には常時張力や反力が付加されるため、着用者には窮屈な拘束されたような違和感を与えるであろうこうとは容易に想像されるところである。また、これら特許文献の技術思想は、それぞれ人体の特定の部位を対象として矯正・補正するものであり、前記のように人体に発現される様々な歪みに対しても等しく適用されるものとは考えられない。
【０００６】
本発明者等は、これらの知見を元にさらに鋭意研究を重ねてなされたものであり、人体に生じる様々な歪みを補正することができるウエアを提供することを目的とする。
【課題を解決するための手段】
【０００７】
本発明に係るウエアは、人体に装着されるウエアであって、前記人体の歪み要因に関連する部分に対応する部位に、一端部に引手を有した姿勢補正のためのファスナーが設けられていることを特徴とする。
【０００８】
本発明に係るウエアによれば、人体の歪み要因に関連する部分に対応する部位に、姿勢補正のためのファスナーが設けられているので、体の歪み要因に関連する部分が刺激・補強され、体の歪みの補正効果が発揮される。また、ファスナーの一端に引手を有しているから、着用者は引手を手指で摘んで長手方向の狭い範囲で開閉操作を繰り返せば、開閉動作に伴う腕や腰などの動作により、運動不足の人でも前記歪み補正効果がより活発に発揮される。さらに本発明に係るウエアは、着用するだけで上記効果が期待できるため、幼児から高齢者、運動しない人、一流のアスリート等、老若男女問わずに着用することができる。そして、本発明に係るウエアは、従来よく知られた姿勢矯正衣料や姿勢矯正ベルトのように締め付けるものではないので、長時間着用でき、就寝時に着用することもできる。
【０００９】
本発明に係るウエアにおいて、当該ウエアが上半身用のウエアであって、前記部位が後見頃における前記人体の肩甲骨に沿った縦向きの部位であり、前記ファスナーは、閉状態の前記引手が前記肩甲骨の下角付近に対応する位置になるように設けられているものとしても良い。
肩甲骨は、運動不足になると、可動域が狭くなりやすく、上方回旋、下方回旋がスムーズに行いにくくなることが指摘されているが、当該ウエアを着用すれば、着用者が意識しなくても、前記のようなファスナーの開閉動作で自然と脇がしまり、首が伸びるので、肩甲骨や首の可動域を正常にし、肩こりの解消が期待できる。また引手が肩甲骨の下角付近に対応する位置にあるので、着用者が引手を手指で摘んで前記同様に開閉動作を繰り返すと、手指の細かな動作とこれに伴う腕の動きによって肩甲骨の回動がスムーズになる。
この場合、前記ファスナーが、略ハの字状に一対設けられているものとしても良い。
これによれば、ファスナーが略ハの字状とされているから、前記引手の開閉操作が、肩甲骨の内側に沿ってなされるから、前記補正効果がより効果的に発揮される。
【００１０】
本発明に係るウエアにおいて、当該ウエアが上半身用のウエアであって、前記部位が前見頃における着用者の第３番肋骨〜第４番肋骨付近の横向き部位であり、前記ファスナーは、閉状態の前記引手が前記人体の第３番肋骨〜第４番肋骨付近の胸骨寄りに対応する位置になるように設けられているものとしても良い。
これによれば、着用者が引手を手指で摘んで前記同様に開閉動作を繰り返すと、体のいきみがなくなり、体のコリや固まりをほぐすことができる。また横隔膜の移動がスムーズになるため、肺の動きの活発化を促すことができる。さらに人体は重量のある肝臓側（右側）に傾く傾向があるが、ファスナーを前身頃の左側（心臓側）に設けるようにすれば、このような右傾化の是正に有効である。
【００１１】
本発明に係るウエアにおいて、当該ウエアが上半身用のウエアであって、前記部位が後見頃における前記人体の背骨に沿った部位であり、前記ファスナーは、閉状態の前記引手が背骨に沿った上方位置若しくは下方位置になるように設けられているものとしても良い。
これによれば、ファスナーは、背骨に沿った部位、すなわち背中の凹み部分にファスナーが沿うように設けられるので、背中を補強されている感覚が強まる。よって、前記のような引手の開閉動作をしなくても、自然と背中をファスナーに沿ってまっすぐに維持しようとする動作がなされ、歪み補正効果が発現される。また、着用者が背骨に沿った上方位置若しくは下方位置になるように設けられた引手を手指で摘んで上下に開閉動作を繰り返すと、背筋が伸び、円背等の歪みの補正が効果的になされる。また、このような動作は、着用者が腕を、肩の上から、或いは脇の下から、背部に回してなされるから、肩甲骨が回動して円背等の歪みの補正だけでなく、肩こりの解消も期待できる。
【００１２】
本発明に係るウエアにおいて、当該ウエアが下半身用のウエアであって、前記部位が、後身頃における前記人体の骨盤の仙腸関節から下方に沿った部位であり、前記ファスナーは、閉状態の前記引手が前記仙腸関節の上端角部付近に対応する位置になるように設けられているものとしても良い。
これによれば、例えば座ったまま、立ったまま等、同じ姿勢が長時間続く場合でも、本発明のウエアを着用しているだけで、正しい姿勢の意識付け、習慣付けがなされ、体が疲れにくくなることが期待できる。またふとしたときに、着用者が引手の位置を意識したり、引手を手指で摘んで前記同様に開閉動作を繰り返すことにより、骨盤の後傾が改善され、Ｏ脚の矯正効果、歪み補正効果が発現される。
この場合、前記ファスナーが、略逆ハの字状に一対設けられているものとしても良い。
これによれば、前記歪み補正効果がより効果的に発現される。
【００１３】
本発明に係るウエアにおいて、当該ウエアが下半身用のウエアであって、前記部位が、後身頃における前記人体の骨盤間中央の縦方向に沿った部位であり、前記ファスナーは、閉状態の前記引手が恥骨結合の近傍下方に対応する位置になるように設けられているものとしても良い。
これによれば、上述と同様に例えば座ったまま、立ったまま等、同じ姿勢が長時間続く場合でも、本発明のウエアを着用しているだけで、正しい姿勢の意識付け、習慣付けがなされ、体が疲れにくくなることが期待できる。また引手を手指で摘んで前記同様に開閉動作を繰り返すことにより、引き上げ効果で骨盤を正常な位置に補正することができ、下腹部の引きしめ効果も得られる。
【００１４】
本発明に係るウエアにおいて、当該ウエアが下半身用のウエアであって、前記部位が、前身頃における前記人体の鼠蹊部に沿った部位であり、前記ファスナーは、閉状態の前記引手が前記鼠蹊部の上端部付近に対応する位置になるように設けられているものとしても良い。
これによれば、股関節の可動域を正常に導くことができ、股関節の柔軟性を向上させることができるので、例えば屈伸運動がしやすくなる効果が期待できる。特に股関節が硬くなりやすい高齢者に好適といえる。また一流のアスリートにとっては、パフォーマンスを向上させるために股関節の柔らかさは非常に要素とされているため、好適である。
この場合、前記ファスナーが、略逆ハの字状に一対設けられているものとしても良い。
これによれば、ファスナーが略ハの字状とされているから、前記引手の開閉操作が、鼠蹊部のそれぞれの上端部付近からそれぞれの恥骨結合に向く方向に沿うようなされるから、前記作用がより効果的に発揮される。
【発明の効果】
【００１５】
本発明のウエアによれば、着用しながら人体に発現される様々な歪みを効果的に補正することができる。また、ウエアにファスナーを設けただけであるから、着用者に対して体を締付けるような窮屈な違和感を与えることがなく、長時間の着用が可能である。
【図面の簡単な説明】
【００１６】
【図１】本発明に係るウエアの第一の実施形態を示す背面図である。
【図２】（ａ）（ｂ）は、同実施形態のウエアの使用例を示す概略的斜視図である。
【図３】（ａ）は本発明に係るウエアの第二の実施形態を示す正面図であり、（ｂ）はその変形例の同様図である。
【図４】本発明に係るウエアの第三の実施形態を示すに背面図である。
【図５】（ａ）（ｂ）は、同実施形態のウエアの使用例を示す概略的斜視図である。
【図６】（ａ）（ｂ）は、本発明に係るウエアの第四の実施形態を示し、（ａ）はその背面図、（ｂ）は同実施形態のウエアの使用例を示す概略的斜視図である。
【図７】本発明に係るウエアの第五の実施形態を示す正面図である。
【図８】本発明に係るウエアの第六の実施形態を示す正面図である。
【発明を実施するための形態】
【００１７】
以下、本実施形態に係るウエアについて図面を参照して説明する。本実施形態に係るウエアは、以下の各実施形態に共通して、人体に装着されるウエアであって、前記人体の歪み要因に関連する部分に対応する部位（以下、取付部位と言う）に、一端部に引手を有した姿勢補正のためのファスナーが設けられていることを基本構成とする。また、本実施形態で対象とされるウエアは、所謂Ｔシャツのような肌身に直接着用されるアンダーウエア或いはホームウエアであり、日常生活の中で着用し、着ながらにして歪み補正効果を得ることを目的とするものである。よって、ウエア自体の形状・構成は特に限定されず、着用者の体に密着して着用される伸縮性を備えたものであってもよいが、体を締め付けないリラックスして着用できるようなものであっても十分な効果が期待できる。また図例のようなウエアに限定されず、普段着（ブラウス、シャツ、セーター、ベスト、アウターウエア、ズボン、キュロット等）に適用してもよいし、ジャージー生地でなるトレーニングウエアに適用してもよい。またジャケットとパンツからなるスーツやデニム生地でなるジーンズウエアでもよい。さらに、人体の歪み要因に関連する部分とは、人体はどこかを刺激すると歪みが解消される特性があることから、ある歪み要因部の歪みの解消に有効な特定の刺激対象部分を指すものとしている。
【００１８】
図１及び図２は本発明に係るウエアの第一の実施形態を示す。本実施形態のウエア１は、上半身用のウエアであって、取付部位１１が後見頃１Ｂにおける人体Ｈの肩甲骨ｋに沿った縦向きの部位であり、ファスナー２は、閉状態の前記引手２ａが肩甲骨ｋの下角ｋａ付近に対応する位置になるように設けられている。図例のウエア１は、胴部１ａと袖部１ｂとからなる。なお、ウエア１の形状・構成は図例に限定されず、袖部１ｂのないランニングシャツ等にも適用可能であるし、袖部１ｂは半そでに限らず長袖であってもよいことは言うまでもない。
【００１９】
ファスナー２は、胴部１ａの背部にハの字形に一対設けられ、一対のファスナー２，２は、それぞれウエア１のネック部１ｃから脇下部１ｄ付近（肩甲骨ｋの下角ｋａ付近）に至るように位置付けられ、前記取付部位１１，１１の生地部に縫着、或いはホットメルト接着剤による貼着等によって取付けられている。これによって、閉状態の引手２ａは、前記肩甲骨ｋの下角ｋａ付近、即ち、脇下部１ｄ付近に位置付けられる。この取付部位１１には、通常のポケットのような開口部等を有してもよいが、ファスナー２は、通常のファスナーのように開閉のために設けられるものではなく、姿勢補正のために設けられているものであるので、図例のように単にウエア１の生地部に取付けられていればよい。
【００２０】
ファスナー２は、２枚のジッパーテープ２ｂ，２ｂと、このジッパーテープ２ｂ，２ｂの対向する側端部に設けられた務歯２ｃと、務歯２ｃの相互結合及び結合解除を司るスライダーを含む前記引手２ａとよりなる。ファスナー２としては、図例のような所謂ジッパー式（スライド式）の止製品あって、務歯２ｃが金属製或いは樹脂製の市販のファスナーが好ましく用いられるが、２枚のテープ部の対向する側端部を結合及び結合解除がなし得るようにしたものであれば他の方式のファスナーであっても良い。またファスナー２のサイズも特に限定されず、細長の短手方向のサイズが１．５〜３センチ程度のものを用いることができる。さらにファスナー２の構成は、左側と右側の素材を変えて、組み合わせたものとしてもよい。例えば左側は銅素材、右側はアルミニウム素材からなるものを組み合わせて用いてもよい。また左側を黒、右側を白等と色の組み合わせを変えて用いてもよい。そして、ファスナー２の引手２ａは必須ではなく、開閉操作ができない構成であっても、ファスナー２の存在
【００２１】
着用者（人体）Ｈが、このようなウエア１を着用した場合、ファスナー２は、着用者Ｈの歪み要因に関連する部分に対応する部位（取付部位１１）に設けられているから、着用者Ｈにおいては、取付部位１１にファスナー２の存在を感じることで歪み要因に関連する部分が刺激・補強され、歪みの補正効果が発揮される。またウエア１は、着用するだけで上記効果が期待できるため、幼児から高齢者、運動しない人、一流のアスリート等、老若男女問わずに着用することができる。そして、ウエア１は、従来よく知られた姿勢矯正衣料や姿勢矯正ベルトのように締め付けるものではないので、長時間着用でき、就寝時に着用することもできる。また、ファスナー２が細長で、その一端に引手２ａを有しているから、着用者Ｈは引手２ａを手指ｆで摘んで長手方向の狭い範囲ｄで白抜矢印ａに示すように細かく開閉操作を繰り返すことにより、前記歪み補正効果がより活発に発現される。また、閉状態の引手２ａが肩甲骨ｋの下角ｋａ付近に対応する位置にあるので、着用者Ｈが前記開閉動作を繰り返すと、手指ｆの細かな動作とこれに伴う腕ｈの動きによって肩甲骨ｋの回動がスムーズになる。特に肩甲骨ｋは、運動不足になると、可動域が狭くなりやすく上方回旋、下方回旋がスムーズに行うにくくなることが指摘されているが、当該ウエア１を着用すれば、肩甲骨ｋの可動域を正常に保ちやすくなる。すると、着用者Ｈが意識しなくても、自然と脇がしまり、首が伸びので、肩甲骨ｋや首の可動域を正常にし、肩こりの解消が期待できる。また、着用者Ｈが引手を手指ｆで摘んで開閉動作を繰り返すと、手指ｆの細かな動作とこれに伴う腕ｈの動きによって肩甲骨ｋの回動がスムーズになる。そして、本実施形態では、ファスナー２が、略ハの字状に一対設けられているから、前記引手２ａの開閉操作が、肩甲骨ｋの内側に沿ってなされるから、前記補正効果がより効果的に発揮される。また、この場合、左右の腕ｈ，ｈの動きによって前記の操作がなされるから、左右の肩甲骨ｋに対して前記作用がなされ、均整のとれた姿勢の維持にも有効である。しかも、ウエア１にファスナー２を設けただけであるから、着用者Ｈに対して体を締付けるような窮屈な違和感を与えることがなく、長時間の着用が可能である。特に、忙しくてトレーニングができない人、トレーニングが苦手な人にとっては極めて有用である。
なお、引手２ａの開閉操作範囲ｄは、引手２ａの閉状態の位置から開方向に３ｃｍ程度の範囲が適正とされるが、これに限定されるものではない。
【００２２】
図３（ａ）（ｂ）は、本発明に係るウエアの第二の実施形態を示す。本実施形態のウエア１は、第一の実施形態と同様の上半身用のウエアである。なお、この場合もまたウエア１の形状・構成は図例に限定されず、キャミソールやチューブトップ等にも適用可能であることは言うまでもない。本実施形態のウエア１は、取付部位１１がウエア１の前身頃１Ｆにおける着用者の人体の第３番肋骨〜第４番肋骨付近（バストトップ位置よりやや上）の横向き部位であり、ファスナー２は、閉状態の引手２ａが人体の第３番肋骨〜第４番肋骨付近の胸骨寄りに対応する位置になるように設けられている。
具体的に図３（ａ）に示す例では、ファスナー２が、着用者の左側（心臓側）に位置し、体中心Ｌを横断して、引手２ａが着用者の右側（肝臓側）の肋軟骨付近に位置するように設けられている。ファスナー２は前記と同様の方法で取付部位１１に取付けられている。このようなウエアを着用した着用者が引手２ａを手指（不図示）で摘んで長手方向の狭い範囲ｄで白抜矢印ａに示すように、横向きに細かく開閉操作を繰り返すと、体のいきみがなくなり、体のコリや固まりをほぐすことができる。また、横隔膜の移動がスムーズになるため、肺の動きの活発化を促すことができる。特に、人体は重量のある肝臓側（右側）に傾く傾向があるが、本実施形態のようにファスナーを前身頃１Ｆの左側（心臓側）に設けるようにすれば、このような右傾化の是正に有効である。
【００２３】
図３（ｂ）に示す例では、体中心Ｌを挟んで左右対称に一対のファスナー２，２が横向きに且つ、左右の第３番肋骨〜第４番肋骨付近に対応する位置に設けられている。そして、左右のファスナー２，２の引手２ａ，２ａは、左右の第３番肋骨〜第４番肋骨の胸骨寄りに対応する位置にそれぞれ位置付けられている。この例の場合は、着用者はそれぞれの引手２ａ，２ａを両手の手指で摘んで長手方向の狭い範囲ｄ，ｄで白抜矢印ａ，ａに示すように、それぞれ横向きに細かく開閉操作を繰り返すと、前記右傾化の是正に加えて、体幹歪の補正がより効果的になされる。加えて、左右均整のとれた姿勢の維持にも有効である。
【００２４】
この他、上半身用のウエア１の例としては、不図示であるが、体中心Ｌを挟んで左右対称に一対のファスナー２，２が略ハの字状の斜め横向きに且つ、左右の浮肋骨（第１１番肋骨〜第１２番肋骨付近）に対応する位置に設けてもよい。そして、この場合、左右のファスナー２，２の閉状態の引手２ａ，２ａは、体中心Ｌ側のそれぞれの位置に設けるようにしてもよい。この場合は、左右均整（バランス）だけでなく、この浮肋骨付近に意識がいくことでウエストを引き締める効果が期待できる。またゴルフやテニス、野球等のスポーツアスリート向けの場合は、利き手側のみに設けるようにしてもよい。これによれば、浮肋骨付近に補強感が生まれ、バランスがとりやすくなり、パフォーマンスの向上を図ることができる。
【００２５】
図４及び図５（ａ）（ｂ）は、本発明に係るウエアの第三の実施形態を示す。本実施形態のウエア１は、第一及び第二の実施形態と同様の上半身用のウエアであって、取付部位１１が後見頃１Ｂにおける着用者（不図示）の背骨（不図示）、即ち体中心Ｌに沿った部位であり、ファスナー２は、閉状態の引手２ａが背骨に沿った上方位置若しくは下方位置になるように設けられている。図例では、後見頃１Ｂの体中心Ｌに沿った上半部及び下半部の両方にファスナー２，２が設けられている。上半部のファスナー２は、閉状態の引手２ａがネック部１ｃに位置するように、また、下半部のファスナー２は、閉状態の引手２ａが胴部１ａの裾部に位置するように、それぞれ設けられる。
なお、図例では、体中心Ｌに沿って２本のファスナー２，２が設けられているが、どちらか一方であっても良く、また、両ファスナー２，２が連なった１本のファスナーを構成するものであっても良い。さらに、図４及び図５（ａ）では、ファスナー２が胴部１ａの表面に設けられているが、図５（ｂ）のように胴部１ａの内面（後ろ身頃裏面）に設けられていても良い。またウエア１の形状・構成は図例に限定されず、上述と同様に袖部１ｂのないランニングシャツ等にも適用可能であるし、袖部１ｂは半そでに限らず長袖であってもよいことは言うまでもない。
【００２６】
これによれば、ファスナー２は、背骨に沿った部位、すなわち背中の凹み部分にファスナー２が沿うように設けられるので、背中を補強されている感覚が強まる。よって、引手２ａの開閉動作をしなくても、自然と背中をファスナー２に沿ってまっすぐに維持しようとする動作がなされ、歪み補正効果が発現される。またウエア１を着用した着用者Ｈが引手２ａを手指ｆで摘んで長手方向の狭い範囲ｄで白抜矢印ａに示すように、体中心Ｌに沿って縦向きに細かく開閉操作を繰り返すと、背筋が伸び、円背等の歪の補正が効果的になされる。特に、このような動作は、着用者Ｈが腕ｈを、肩の上から（図５（ａ）の場合）、或いは脇腹から（図５（ｂ）の場合）、背部に回してなされるから、肩甲骨が回動して円背等の歪の補正だけでなく、肩こりの解消も期待できる。また、図５（ｂ）のように、ファスナー２を胴部１ａの内面（後見頃１Ｂの内面）に設けるようにすれば、より一層背中の凹み部分（背骨位置）にファスナー２が沿って、補強されている感覚が強まる。
【００２７】
図６（ａ）（ｂ）は、本発明に係るウエアの第四の実施形態を示す。本実施形態のウエア１０は図例のようなアンダーウエア用或いはホームウエア用トランクスやズボン等の下半身用のウエアであって、取付部位１１が、後身頃１０Ｂにおける着用者（人体）Ｈの骨盤の仙腸関節ｐから下方に沿った部位であり、ファスナー２は、閉状態の引手２ａが前記仙腸関節ｐの上端角部ｐａ付近（ウエア１０の左右臀部の上部付近）に対応する位置になるように設けられている。図例では、一対のファスナー２，２が、体中心Ｌの左右に対称に略逆ハの字状に設けられている。ウエア１０の形状・構成は図例に限定されず、ブリーフタイプや女性用のショーツにも適用可能であることは言うまでもなく、上述したようにズボンやジーンズ等であってもよい。
【００２８】
このようなウエア１０を着用した着用者Ｈは両腕ｈ，ｈを背部の腰部に回し、臀部に位置する両ファスナー２，２の引手２ａ，２ａを手指ｆ，ｆで摘んで白抜矢印ａ，ａ方向に開閉動作を繰り返すことにより、骨盤の後傾が改善され、Ｏ脚の矯正効果、歪み補正効果が発現される。また例えば座ったまま、立ったまま等、同じ姿勢が長時間続く場合でも、ウエア１０を着用しているだけで、正しい姿勢の意識付け、習慣付けがなされ、体が疲れにくくなることが期待できる。図６（ｂ）は、着用者Ｈが前記第一の実施形態のような上半身用のウエア１も着用した状態を示しており、このように上半身用のウエア１及び下半身用のウエア１０を適宜組み合わせて着用することにより、それぞれの歪み補正効果が総合して体全体の歪の補正がより効果的に発現される。特に下半身において骨盤の歪みは、冷やむくみの原因とも言われているため、歪み補正が望まれる大切な箇所といえる。
【００２９】
この他、下半身用のウエア１０の例としては、不図示であるが、取付部位１１が、後身頃１０Ｂにおける着用者（人体）Ｈの股関節付近、大転子付近に対応する部位に設けても良い。この場合、ファスナー２，２の閉状態の引手２ａ，２ａは、体の外側のそれぞれの位置に設けるようにしてもよい。この場合は、より一層歪み補正効果が発現され、ヒップアップ効果も期待でき、骨盤を正常な位置に導くことで下半身のダイエット効果も期待できる。
【００３０】
図７は、本発明に係るウエアの第五の実施形態を示す。本実施形態のウエア１０は第四の実施形態と同様に下半身用のウエアである。この場合もウエア１０の形状・構成は図例に限定されず、上述の実施形態と同様にブリーフタイプや女性用のショーツ、ズボンやジーンズ等にも適用可能であることは言うまでもない。本実施形態の取付部位１１は、前身頃１０Ｆにおける着用者（不図示）の骨盤（不図示）間中央の縦方向に沿った部位（体中心Ｌに沿った部位）であり、ファスナー２は、閉状態の引手２ａが恥骨結合の近傍下方（ウエア１０の股間部付近）に対応する位置になるように設けられている。
このようなウエアを着用した着用者が恥骨結合の近傍下方にある引手２ａを手指（不図示）で摘んで、長手方向の狭い範囲ｄで白抜矢印ａに示すように体中心Ｌに沿って上下に開閉動作を繰り返すことにより、引き上げ効果で骨盤を正常な位置に補正することができ、下腹部の引きしめ効果も得られる。
【００３１】
図８は、本発明に係るウエアの第六の実施形態を示す。本実施形態のウエア１０は、第四及び第五の実施形態と同様に下半身用のウエアである。ウエア１０の形状・構成は図例に限定されず、ブリーフタイプや女性用のショーツ、ズボンやジーンズ等にも適用可能であることは言うまでもない。本実施形態の取付部位１１は、前身頃１０Ｆにおける着用者（不図示）の鼠蹊部（不図示）即ち着用者の大腿部（不図示）の付け根部に沿った部位であり、ファスナー２は、閉状態の引手２ａが鼠蹊部の上端部付近に対応する位置になるように設けられている。図例では、一対のファスナー２，２が、体中心Ｌの左右に対称に略逆ハの字状に設けられている。
このようなウエア１０の着用者が鼠蹊部の上端部付近にある引手２ａを手指で摘んで、長手方向の狭い範囲ｄ，ｄで白抜矢印ａ，ａに示すように鼠蹊部に沿って股間部方向に開閉動作を繰り返すことにより、股関節の可動域を正常に導くことができ、股関節の柔軟性を向上させることができるので、例えば屈伸運動がしやすくなる効果が期待できる。特に股関節が硬くなりやすい高齢者に好適といえる。また一流のアスリートにとっては、パフォーマンスを向上させるために股関節の柔らかさは非常に要素とされているため、好適である。
【００３２】
なお、前記実施形態における歪み要因に関連する部分は例示であり、他の同様の部分であっても本発明の技術思想は適用可能である。また、例示したファスナーの取付態様も、同一の（上半身用、下半身用それぞれの）ウエアにおいて、適宜組み合わせることも可能で、これによってそれぞれの態様による固有の作用・効果が相乗して、より総合した歪み補正効果がえられる。
【符号の説明】
【００３３】
１                            上半身用のウエア
１０                          下半身用のウエア
１Ｆ，１０Ｆ                  前身頃
１Ｂ，１０Ｂ                  後身頃
１１                          取付部位（歪み要因に関連する部分に対応する部位）
２                            ファスナー
２ａ                          引手
Ｈ                            着用者（人体）
ｆ                            手指
ｋ                            肩甲骨
ｋａ                          肩甲骨の下角
ｐ                            仙腸関節
ｐａ                          仙腸関節の上端角部
【図１】
2017012675.tif 000003
【図２】
2017012675.tif 000004
【図３】
2017012675.tif 000005
【図４】
2017012675.tif 000006
【図５】
2017012675.tif 000007
【図６】
2017012675.tif 000008
【図７】
2017012675.tif 000009
【図８】
2017012675.tif 000010